(57)【要約】【課題】冷却装置を使用して凍結対象物を凍結させる凍結処理の料金を計上すること。【解決手段】料金決定装置は、保持機構に保持される凍結対象物の凝固温度よりも温度が低い冷却液を貯留する冷却槽を基準とした前記保持機構の位置を示す位置データを取得するデータ取得部と、前記位置データが示す前記保持機構の位置が前記凍結対象物を前記冷却液に浸漬させる範囲に収まっているか否かを判定するデータ判定部と、前記位置データが示す前記保持機構の位置が前記凍結対象物を前記冷却液に浸漬させる範囲に収まっていると判定された場合、前記冷却液を使用して前記凍結対象物を凍結させる凍結処理の料金を計上する料金決定部と、を備える。【選択図】図２
2020170301.tif 000002
【特許請求の範囲】
【請求項１】
保持機構に保持される凍結対象物の凝固温度よりも温度が低い冷却液を貯留する冷却槽を基準とした前記保持機構の位置を示す位置データを取得するデータ取得部と、
前記位置データが示す前記保持機構の位置が前記凍結対象物を前記冷却液に浸漬させる範囲に収まっているか否かを判定するデータ判定部と、
前記位置データが示す前記保持機構の位置が前記凍結対象物を前記冷却液に浸漬させる範囲に収まっていると判定された場合、前記冷却液を使用して前記凍結対象物を凍結させる凍結処理の料金を計上する料金決定部と、
を備える料金決定装置。
【請求項２】
前記データ取得部は、前記冷却液の温度を示す温度データを更に取得し、
前記データ判定部は、前記温度データが示す温度が所定の範囲に収まっているか否かを更に判定し、
前記料金決定部は、前記温度データが示す温度が前記所定の範囲に収まっていると判定された場合、前記凍結処理の料金を計上する、
請求項１に記載の料金決定装置。
【請求項３】
前記データ取得部は、前記凍結対象物の重量を示す重量データを更に取得し、
前記料金決定部は、前記重量データが示す重量が大きい程、前記凍結処理の料金として高い料金を計上する、
請求項１又は請求項２に記載の料金決定装置。
【請求項４】
前記データ取得部は、前記冷却槽を基準とした前記保持機構の位置の変化を示す時系列位置データを更に取得し、
前記データ判定部は、前記時系列位置データに基づいて、前記前記保持機構の位置が前記凍結対象物を前記冷却液に浸漬させる範囲に収まっていた時間が所定の閾値未満であるか否かを更に判定し、
前記料金決定部は、前記保持機構の位置が前記凍結対象物を前記冷却液に浸漬させる範囲に収まっていた時間が所定の閾値未満であると判定された場合、前記凍結処理の料金としてゼロを計上する、
請求項１に記載の料金決定装置。
【請求項５】
コンピュータに、
保持機構に保持される凍結対象物の凝固温度よりも温度が低い冷却液を貯留する冷却槽を基準とした前記保持機構の位置を示す位置データを取得するデータ取得機能と、
前記位置データが示す前記保持機構の位置が前記凍結対象物を前記冷却液に浸漬させる範囲に収まっているか否かを判定するデータ判定機能と、
前記位置データが示す前記保持機構の位置が前記凍結対象物を前記冷却液に浸漬させる範囲に収まっていると判定された場合、前記冷却液を使用して前記凍結対象物を凍結させる凍結処理の料金を計上する料金決定機能と、
を実現させるための料金決定プログラム。
【請求項６】
保持機構に保持される凍結対象物の凝固温度よりも温度が低い冷却液を貯留する冷却槽を基準とした前記保持機構の位置を示す位置データを取得するデータ取得工程と、
前記位置データが示す前記保持機構の位置が前記凍結対象物を前記冷却液に浸漬させる範囲に収まっているか否かを判定するデータ判定工程と、
前記位置データが示す前記保持機構の位置が前記凍結対象物を前記冷却液に浸漬させる範囲に収まっていると判定された場合、前記冷却液を使用して前記凍結対象物を凍結させる凍結処理の料金を計上する料金決定工程と、
を含む料金決定方法。
【発明の詳細な説明】
【技術分野】
【０００１】
本発明は、料金決定装置、料金決定プログラム及び料金決定方法に関する。
【背景技術】
【０００２】
食品等の凍結対象物を凍結させる技術については、従来から様々な試みがなされている。例えば、特許文献１には、未加熱の食品の冷凍方法及び未加熱の食品を冷凍するための冷凍装置が開示されている。
【先行技術文献】
【特許文献】
【０００３】
【特許文献１】特開２０１７−９２７２号公報
【０００４】
特許文献１に係る冷凍方法は、未加熱の食品を密閉包装するステップと、流れを形成させた液体冷媒中に食品を浸漬させ食品を０℃以下の凍結させない温度で冷却保持する冷却ステップと、−２０℃以下の不凍液内に食品を浸漬し過冷却状態から冷凍させる冷凍ステップとを含む。また、特許文献１に係る冷凍装置は、０℃以下の液体冷媒を貯留する冷蔵槽と、−２０℃以下の不凍液を貯留する冷却槽と、冷却槽の外部に備えられて不凍液を少なくとも−２０℃以下に冷却する冷却機構と、不凍液を冷却槽と冷却機構との間で循環させ冷却槽内に不凍液の噴流を形成させる循環機構とを含む。
【０００５】
一方、現在では、食品等の凍結対象物を冷却する冷却装置をユーザに販売又は貸与し、ユーザが当該冷却装置を使用して凍結対象物を冷却する処理を実行する度にユーザから徴収する料金を計上するシステムが望まれている。
【０００６】
しかし、特許文献１に係る冷凍方法及び冷凍装置は、いずれも食品を冷凍する処理のみに関するものであり、当該冷凍方法又は当該冷凍装置の使用の対価としてユーザから徴収する料金を計上するものではない。
【発明の概要】
【発明が解決しようとする課題】
【０００７】
そこで、本発明は、冷却装置を使用して凍結対象物を凍結させる凍結処理の料金を計上することができる料金決定装置、料金決定プログラム及び料金決定方法を提供することを課題とする。
【課題を解決するための手段】
【０００８】
本発明の一態様は、保持機構に保持される凍結対象物の凝固温度よりも温度が低い冷却液を貯留する冷却槽を基準とした前記保持機構の位置を示す位置データを取得するデータ取得部と、前記位置データが示す前記保持機構の位置が前記凍結対象物を前記冷却液に浸漬させる範囲に収まっているか否かを判定するデータ判定部と、前記位置データが示す前記保持機構の位置が前記凍結対象物を前記冷却液に浸漬させる範囲に収まっていると判定された場合、前記冷却液を使用して前記凍結対象物を凍結させる凍結処理の料金を計上する料金決定部と、を備える料金決定装置である。
【０００９】
また、本発明の一態様は、上記の料金決定装置において、前記データ取得部が前記冷却液の温度を示す温度データを更に取得し、前記データ判定部が前記温度データが示す温度が所定の範囲に収まっているか否かを更に判定し、前記料金決定部が前記温度データが示す温度が前記所定の範囲に収まっていると判定された場合、前記凍結処理の料金を計上する。
【００１０】
また、本発明の一態様は、上記の料金決定装置において、前記データ取得部が前記凍結対象物の重量を示す重量データを更に取得し、前記料金決定部が前記重量データが示す重量が大きい程、前記凍結処理の料金として高い料金を計上する。
【００１１】
また、本発明の一態様は、上記の料金決定装置において、前記データ取得部が前記冷却槽を基準とした前記保持機構の位置の変化を示す時系列位置データを更に取得し、前記データ判定部が前記時系列位置データに基づいて、前記前記保持機構の位置が前記凍結対象物を前記冷却液に浸漬させる範囲に収まっていた時間が所定の閾値未満であるか否かを更に判定し、前記料金決定部が前記保持機構の位置が前記凍結対象物を前記冷却液に浸漬させる範囲に収まっていた時間が所定の閾値未満であると判定された場合、前記凍結処理の料金としてゼロを計上する。
【００１２】
本発明の一態様は、コンピュータに、保持機構に保持される凍結対象物の凝固温度よりも温度が低い冷却液を貯留する冷却槽を基準とした前記保持機構の位置を示す位置データを取得するデータ取得機能と、前記位置データが示す前記保持機構の位置が前記凍結対象物を前記冷却液に浸漬させる範囲に収まっているか否かを判定するデータ判定機能と、前記位置データが示す前記保持機構の位置が前記凍結対象物を前記冷却液に浸漬させる範囲に収まっていると判定された場合、前記冷却液を使用して前記凍結対象物を凍結させる凍結処理の料金を計上する料金決定機能と、を実現させるための料金決定プログラムである。
【００１３】
本発明の一態様は、保持機構に保持される凍結対象物の凝固温度よりも温度が低い冷却液を貯留する冷却槽を基準とした前記保持機構の位置を示す位置データを取得するデータ取得工程と、前記位置データが示す前記保持機構の位置が前記凍結対象物を前記冷却液に浸漬させる範囲に収まっているか否かを判定するデータ判定工程と、前記位置データが示す前記保持機構の位置が前記凍結対象物を前記冷却液に浸漬させる範囲に収まっていると判定された場合、前記冷却液を使用して前記凍結対象物を凍結させる凍結処理の料金を計上する料金決定工程と、を含む料金決定方法である。
【発明の効果】
【００１４】
本発明によれば、冷却装置を使用して凍結対象物を凍結させる凍結処理の料金を計上することができる。
【図面の簡単な説明】
【００１５】
【図１】本発明の実施形態に係る冷却装置の概略的な構成の一例を示す図である。
【図２】本発明の実施形態に係る料金決定装置の機能的な構成の一例を示す図である。
【図３】本発明の実施形態に係る料金決定装置が実行する処理の一例を示すフローチャートである。
【発明を実施するための形態】
【００１６】
［実施形態］
図１及び図２を参照しながら、実施形態に係る料金決定装置の構成の一例について説明する。
【００１７】
図１は、本発明の実施形態に係る冷却装置の概略的な構成の一例を示す図である。図１に示すように、冷却装置１は、冷却槽１０１と、支柱１０２と、支柱１０３と、保持機構１０４と、蓋１０５と、駆動部１０６と、秤量部１０７と、温度計測部１０８と、ポンプ１０９と、熱交換器１１０と、通信部１１１とを備える。
【００１８】
冷却槽１０１は、凍結対象物Ｆの凝固温度よりも温度が低い冷却液Ｒを貯留する容器であり、開口１０１Ａを備えている。また、ここで言う凍結対象物Ｆは、例えば、食品であり、調理済みであるか否か及び梱包の有無を問わない。また、冷却液Ｒは、凍結対象物Ｆを凍結させるために使用される液体であり、例えば、エタノールと水との混合溶液である。エタノールと水との比率の一例は、エタノールが４５％、水が５５％である。冷却槽１０１は、冷却液Ｒを貯留することができればよく、任意の形状を採用することができる。例えば、冷却槽１０１は、例えば、２５０Ｌ（リットル）〜５８０Ｌの冷却液Ｒを貯留する直方体状の容器である。
【００１９】
支柱１０２及び支柱１０３は、冷却槽１０１の底面に取り付けられており、保持機構１０４及び蓋１０５を支持している。保持機構１０４は、凍結対象物Ｆを保持する機械的な機構、例えば、凍結対象物Ｆが載置される棚板である。ただし、保持機構１０４は、凍結対象物を保持することができる機構であれば特に限定されず、例えば、蓋１０５から吊り下げられた籠であってもよい。蓋１０５は、冷却槽１０１を封止するために使用される板状の部材である。
【００２０】
駆動部１０６は、保持機構１０４及び蓋１０５を支柱１０２及び支柱１０３に沿って平行移動させる。具体的には、駆動部１０６は、保持機構１０４及び蓋１０５を同時に下限位置から上限位置までの範囲で平行移動させる。下限位置は、保持機構１０４に保持されている凍結対象物Ｆの全部又は一部が冷却槽１０１に貯留されている冷却液Ｒに浸漬し、蓋１０５が冷却槽１０１の開口１０１Ａを封止する位置である。上限位置は、凍結対象物Ｆが冷却液Ｒに浸漬せず、蓋１０５が冷却槽１０１の開口１０１Ａを開放する位置である。なお、駆動部１０６は、保持機構１０４及び蓋１０５を平行移動させるための機構として任意の機構を採用する。
【００２１】
駆動部１０６は、冷却槽１０１の所定の位置、例えば、冷却槽１０１の底面を基準とした保持機構１０４の位置を示す位置データを収集し、位置データを通信部１１１に送信する。位置データは、凍結対象物Ｆのうちの所望の部分が冷却液Ｒに浸漬してから凍結対象物Ｆを凍結させる凍結処理が終了して凍結対象物Ｆのうちの所望の部分が冷却液Ｒに浸漬してない状態になるまでの間の任意のタイミングで収集される。
【００２２】
また、駆動部１０６は、冷却槽１０１の所定の位置を基準とする保持機構１０４の位置の変化を示す時系列位置データを収集して通信部１１１に送信してもよい。時系列位置データは、凍結対象物Ｆのうちの所望の部分が冷却液Ｒに浸漬してから凍結対象物Ｆを凍結させる凍結処理が終了して凍結対象物Ｆのうちの所望の部分が冷却液Ｒに浸漬してない状態になるまでの間に収集される。
【００２３】
秤量部１０７は、保持機構１０４に保持されている凍結対象物Ｆを秤量計を含んでおり、凍結対象物Ｆを秤量することにより凍結対象物Ｆの重量を示す重量データを生成し、重量データを通信部１１１に送信する。秤量部１０７は、凍結対象物Ｆを秤量するための機構として任意の機構を採用する。また、重量データは、凍結対象物Ｆを冷却液Ｒに浸漬させる前に秤量された重量を示すデータでもよいし、凍結対象物Ｆを冷却液Ｒに浸漬させた後に秤量された重量を示すデータでもよい。
【００２４】
温度計測部１０８は、冷却槽１０１に貯留されている冷却液Ｒの温度を計測する温度計を含んでおり、冷却液Ｒの温度を計測することにより冷却液の温度を示す温度データを生成し、温度データを通信部１１１に送信する。温度計測部１０８は、冷却槽１０１に貯留されている冷却液Ｒがとり得る範囲の温度を凍結対象物Ｆを凍結させる上で問題無い精度で計測することができる任意の方法で冷却液の温度を計測する。また、温度データは、凍結対象物Ｆに関係無く任意のタイミングで計測された冷却液Ｒの温度を示すデータである。
【００２５】
ポンプ１０９は、冷却槽１０１に貯留されている冷却液Ｒを吸入して熱交換器１１０に供給する。熱交換器１１０は、ポンプ１０９から供給された冷却液Ｒを所定の温度まで冷却してポンプ１０９に供給する。ここで言う所定の温度は、例えば、−３５℃以下、−５５℃以上−５０℃以下である。ポンプ１０９は、熱交換器１１０により冷却された冷却液Ｒを冷却槽１０１へ吐出する。冷却槽１０１に貯留されている冷却液Ｒは、ポンプ１０９による吸入と吐出により撹拌されるため、冷却槽１０１全体で温度が均一に保たれる。
【００２６】
通信部１１１は、駆動部１０６から位置データを受信し、受信データを料金決定装置２に送信する。また、通信部１１１は、秤量部１０７から重量データを受信し、受信データを料金決定装置２に送信してもよい。さらに、通信部１１１は、温度計測部１０８から温度データを受信し、温度データを料金決定装置２に送信してもよい。
【００２７】
図２は、本発明の実施形態に係る料金決定装置の機能的な構成の一例を示す図である。図２に示すように、料金決定装置２は、データ取得部２１と、データ判定部２２と、料金決定部２３と、表示部２４とを備える。
【００２８】
データ取得部２１は、保持機構に１０４保持される凍結対象物Ｆの凝固温度よりも温度が低い冷却液Ｒを貯留する冷却槽１０１を基準とした保持機構１０４の位置を示す位置データを取得してデータ判定部２２に送信する。具体的には、データ取得部２１は、駆動部１０６から位置データを取得してデータ判定部２２に送信する。
【００２９】
また、データ取得部２１は、冷却液Ｒの温度を示す温度データを取得してデータ判定部２２に送信してもよい。具体的には、データ取得部２１は、温度計測部１０８から温度データを取得してデータ判定部２２に送信してもよい。
【００３０】
また、データ取得部２１は、凍結対象物Ｆの重量を示す重量データを取得してもよい。具体的には、データ取得部２１は、秤量部１０７から重量データを取得してもよい。
【００３１】
また、データ取得部２１は、冷却槽１０１を基準とした保持機構１０４の位置の変化を示す時系列位置データを取得してデータ判定部２２に送信してもよい。具体的には、データ取得部２１は、駆動部１０６から時系列位置データを取得してデータ判定部２２に送信してもよい。
【００３２】
データ判定部２２は、データ取得部２１から位置データを受信し、位置データが示す保持機構１０４の位置が凍結対象物Ｆを冷却液Ｒに浸漬させる範囲に収まっているか否かを判定する。
【００３３】
また、データ判定部２２は、データ取得部２１から温度データを受信した場合、温度データが示す温度が所定の範囲に収まっているか否かを判定してもよい。ここで言う所定の範囲は、凍結対象物Ｆを凍結させる上で好ましい冷却液Ｒの温度の範囲であり、例えば、−３５℃以下、−５５℃以上−５０℃以下である。
【００３４】
また、データ判定部２２は、データ取得部２１から時系列位置データを受信した場合、時系列位置データに基づいて、保持機構１０４の位置が凍結対象物Ｆを冷却液Ｒに浸漬させる範囲に収まっていた時間が所定の閾値未満であるか否かを判定してもよい。
【００３５】
料金決定部２３は、位置データが示す保持機構１０４の位置が凍結対象物Ｆを冷却液Ｒに浸漬させる範囲に収まっていると判定された場合、冷却液Ｒを使用して凍結対象物Ｆを凍結させる凍結処理の料金を計上する。
【００３６】
また、料金決定部２３は、データ判定部２２が温度データが示す温度が所定の範囲に収まっているか否かを判定した場合、凍結処理の料金を計上してもよい。すなわち、料金決定部２３は、位置データが示す保持機構１０４の位置が凍結対象物Ｆを冷却液Ｒに浸漬させる範囲に収まっていると判定されても、温度データが示す温度が所定の範囲に収まっていないと判定された場合、凍結処理の料金を計上しなくてもよい。また、料金決定部２３は、位置データが示す保持機構１０４の位置が凍結対象物Ｆを冷却液Ｒに浸漬させる範囲に収まっていると判定され、温度データが示す温度が所定の範囲に収まっていると判定された場合に、凍結処理の料金を計上してもよい。
【００３７】
また、料金決定部２３は、データ取得部２１が重量データを取得している場合、重量データが示す重量が大きい程、凍結処理の料金として高い料金を計上してもよい。
【００３８】
また、料金決定部２３は、保持機構１０４の位置が凍結対象物Ｆを冷却液Ｒに浸漬させる範囲に収まっていた時間が所定の閾値未満であると判定された場合、凍結処理の料金としてゼロを計上してもよい。
【００３９】
表示部２４は、料金決定部２３が計上した料金、当該料金の合計及びこれらの料金と相関を有する数値を表示する機器、例えば、ディスプレイ、メーターである。また、これらの料金と相関を有する数値は、例えば、凍結処理が実行された凍結対象物Ｆの総重量、凍結対象物Ｆが冷却液Ｒに浸漬していた時間の合計である。なお、表示部２４は、料金決定装置２の必須の構成要素ではない。
【００４０】
次に、図３を参照しながら、実施形態に係る料金決定装置が実行する処理の一例について説明する。図３は、本発明の実施形態に係る料金決定装置が実行する処理の一例を示すフローチャートである。
【００４１】
ステップＳ１０において、データ取得部２１は、位置データ、温度データ、重量データ及び時系列位置データを取得する。
【００４２】
ステップＳ２０において、データ判定部２２は、ステップＳ１０で取得された位置データが示す保持機構１０４の位置が凍結対象物Ｆを冷却液Ｒに浸漬させる範囲に収まっているか否かを判定する。データ判定部２２は、位置データが示す保持機構１０４の位置が凍結対象物Ｆを冷却液Ｒに浸漬させる範囲に収まっていると判定した場合（ステップＳ２０：ＹＥＳ）、処理をステップＳ３０に進める。一方、データ判定部２２は、位置データが示す保持機構１０４の位置が凍結対象物Ｆを冷却液Ｒに浸漬させる範囲に収まっていないと判定した場合（ステップＳ２０：ＮＯ）、処理を終了させる。
【００４３】
ステップＳ３０において、データ判定部２２は、ステップＳ１０で取得された温度データが示す温度が所定の範囲に収まっているか否かを判定する。データ判定部２２は、温度データが示す温度が所定の範囲に収まっていると判定した場合（ステップＳ３０：ＹＥＳ）、処理をステップＳ４０に進める。一方、データ判定部２２は、温度データが示す温度が所定の範囲に収まっていないと判定した場合（ステップＳ３０：ＮＯ）、処理を終了させる。
【００４４】
ステップＳ４０において、データ判定部２２は、保持機構１０４の位置が凍結対象物Ｆを冷却液Ｒに浸漬させる範囲に収まっていた時間が所定の閾値未満であるか否かを判定する。データ判定部２２は、保持機構１０４の位置が凍結対象物Ｆを冷却液Ｒに浸漬させる範囲に収まっていた時間が所定の閾値未満であると判定した場合（ステップＳ４０：ＹＥＳ）、処理を終了させる。一方、データ判定部２２は、保持機構１０４の位置が凍結対象物Ｆを冷却液Ｒに浸漬させる範囲に収まっていた時間が所定の閾値以上であると判定した場合（ステップＳ４０：ＮＯ）、処理をステップＳ５０に進める。
【００４５】
ステップＳ５０において、料金決定部２３は、凍結処理の料金を計上する。
【００４６】
以上、実施形態に係る料金決定装置２について説明した。料金決定装置２は、位置データが示す保持機構１０４の位置が凍結対象物Ｆを冷却液Ｒに浸漬させる範囲に収まっていると判定された場合、冷却液Ｒを使用して凍結対象物Ｆを凍結させる凍結処理の料金を計上する。したがって、料金決定装置２は、冷却装置を使用して凍結対象物Ｆを凍結させる凍結処理の料金を計上することができる。
【００４７】
料金決定装置２は、温度データが示す温度が所定の範囲、すなわち凍結対象物Ｆを凍結させる上で好ましい冷却液Ｒの温度に収まっていると判定された場合、凍結処理の料金を計上する。したがって、料金決定装置２は、凍結対象物Ｆを凍結させる上で冷却液Ｒの温度が好ましい範囲から外れている状態で凍結処理が実行された場合にまで凍結処理の料金が計上されてしまう事態を回避することができる。
【００４８】
料金決定装置２は、重量データが示す重量が大きい程、凍結処理の料金として高い料金を計上する。したがって、料金決定装置２は、凍結処理に対して従量制の料金を計上することができる。
【００４９】
料金決定装置２は、保持機構１０４の位置が凍結対象物Ｆを冷却液Ｒに浸漬させる範囲に収まっていた時間が所定の閾値未満であると判定された場合、凍結処理の料金としてゼロを計上する。したがって、料金決定装置２は、凍結対象物Ｆを凍結させる上で十分な時間だけ凍結対象物Ｆが冷却液Ｒに浸漬していない場合にまで凍結処理の料金が計上されてしまう事態を回避することができる。
【００５０】
なお、上述した実施形態では、位置データ及び時系列位置データが駆動部１０６により生成される場合を例に挙げたが、これに限定されない。例えば、位置データ及び時系列位置データは、冷却槽１０１を基準とした保持機構１０４の位置が支柱１０２又は支柱１０３に描かれた目盛等を使用してユーザにより読み取られ、読み取られた位置がマウス、キーボード等の入力装置を使用して入力されることにより生成されてもよい。また、この場合、データ取得部２１は、駆動部１０６ではなく、位置データ及び時系列データが格納されている記憶媒体から位置データ及び時系列位置データを取得する。
【００５１】
また、上述した実施形態では、温度データが温度計測部１０８により生成される場合を例に挙げたが、これに限定されない。例えば、温度データは、温度計測部１０８に含まれている温度計が示す温度がユーザにより読み取られ、読み取られた温度がマウス、キーボード等の入力装置を使用して入力されることにより生成されてもよい。また、この場合、データ取得部２１は、温度計測部１０８ではなく、温度データが格納されている記憶媒体から温度データを取得する。
【００５２】
また、上述した実施形態では、重量データが秤量部１０７により生成される場合を例に挙げたが、これに限定されない。例えば、重量データは、秤量部１０７に含まれている秤量計が示す重量がユーザにより読み取られ、読み取られた重量がマウス、キーボード等の入力装置を使用して入力されることにより生成されてもよい。また、この場合、データ取得部２１は、秤量部１０７ではなく、秤量データが格納されている記憶媒体から重量データを取得する。
【００５３】
また、料金決定装置２は、上述したステップＳ３０及びステップＳ４０の少なくとも一方を実行しなくてもよい。料金決定装置２は、上述したステップＳ３０及びステップＳ４０の両方を実行せず、ステップＳ２０で位置データが示す保持機構の位置が凍結対象物を冷却液に浸漬させる範囲に収まっていると判定された場合、処理をステップＳ５０に進める。また、料金決定装置２は、上述したステップＳ３０を実行せず、ステップＳ２０で位置データが示す保持機構の位置が凍結対象物を冷却液に浸漬させる範囲に収まっていると判定された場合、処理をステップＳ４０に進める。また、料金決定装置２は、上述したステップＳ４０を実行せず、ステップＳ３０で温度データが示す温度が所定の範囲に収まっていると判定された場合、処理をステップＳ５０に進める。
【００５４】
また、料金決定装置２は、ステップＳ５０において、重量データが示す重量が大きい程、凍結処理の料金として高い料金を計上してもよい。
【００５５】
また、上述した料金決定装置２が備える機能の全部又は一部は、料金決定プログラムとしてコンピュータ読み取り可能な記録媒体に記録され、コンピュータシステムにより実行されてもよい。コンピュータシステムは、ＯＳ、周辺機器等のハードウェアを含むものとする。また、コンピュータ読み取り可能な記録媒体は、例えば、フレキシブルディスク、光磁気ディスク、ＲＯＭ（Read  Only  Memory）、ＣＤ−ＲＯＭ等の可搬媒体、コンピュータシステムに内蔵されるハードディスク等の記憶装置、インターネット等のネットワーク上のサーバ等が備えるＲＡＭ（Random  Access  Memory）である。なお、ＲＡＭは、一定時間プログラムを保持する記録媒体の一例である。
【００５６】
また、料金決定プログラムは、上述した機能の全部又は一部を実現するプログラムであってもよい。なお、上述した機能の一部を実現するプログラムは、上述した機能をコンピュータシステムに予め記録されているプログラムとの組み合わせで実現できるプログラム、いわゆる差分プログラムであってもよい。
【００５７】
以上、本発明を実施するための形態について実施形態を用いて説明したが、本発明はこうした実施形態に限定されるものではなく、本発明の要旨を逸脱しない範囲内において種々の変形及び置換を加えることができる。
【符号の説明】
【００５８】
１…冷却装置、１０１…冷却槽、１０１Ａ…開口、１０２，１０３…支柱、１０４…保持機構、１０５…蓋、１０６…駆動部、１０７…秤量部、１０８…温度計測部、１０９…ポンプ、１１０…熱交換器、１１１…通信部、２…料金決定装置、２１…データ取得部、２２…データ判定部、２３…料金決定部、２４…表示部、Ｆ…凍結対象物、Ｒ…冷却液
【図１】
2020170301.tif 000003
【図２】
2020170301.tif 000004
【図３】
2020170301.tif 000005